(57)【要約】【課題】雪の堆積による熱交換効率の低下を抑制することができる室外機及び室外機の設置方法を提供すること。【解決手段】熱交換器５と、この熱交換器５の下面を支持した状態で設置対象箇所に設置されるベース部材６とを有する空気調和機の室外機１であって、ベース部材６は、熱交換器５が設置された底板９と、この底板９の周縁に立設された側板１０とを有する一方、熱交換器５は、前記周縁の少なくとも一部に沿って配置され、前記熱交換器５に沿う範囲の側板１０のうち前記底板９の周方向の少なくとも一部の範囲を含み、ベース部材６から分断可能に構成された分断部１１を有する。【選択図】図１
2008196825.tif 000002
【特許請求の範囲】
【請求項１】
熱交換器と、この熱交換器の下面を支持した状態で設置対象箇所に設置されるベース部材とを有する空気調和機の室外機であって、
前記ベース部材は、前記熱交換器が載置された底板と、この底板の周縁に立設された側板とを有する一方、前記熱交換器は、前記周縁の少なくとも一部に沿って配置され、
前記熱交換器に沿う範囲の前記側板のうち前記底板の周方向の少なくとも一部の範囲を含み、前記ベース部材から分断可能に構成された分断部を有することを特徴とする室外機。
【請求項２】
前記分断部は、前記側板に加えて前記底板の一部も含むことを特徴とする請求項１に記載の室外機。
【請求項３】
前記分断部は、前記底板の周縁から当該底板に固定された前記熱交換器の下方位置までの範囲の底板を含んでいることを特徴とする請求項２に記載の室外機。
【請求項４】
前記分断部は、前記ベース部材に形成された切断線に沿ってベース部材から分断可能とされ、この切断線は、前記ベース部材の他の部分よりも破断強度が弱く設定されていることを特徴とする請求項１〜３の何れか１項に記載の室外機。
【請求項５】
前記ベース部材は、分断された分断部を当該ベース部材の一部として再び組み付けることが可能に構成されていることを特徴とする請求項１〜４の何れか１項に記載の室外機。
【請求項６】
前記ベース部材は、前記熱交換器から流下した水を前記底板上に蓄えることができるように、ベース部材の一部として分断部を組み付けることが可能に構成されていることを特徴とする請求項５に記載の室外機。
【請求項７】
ケーシング側板をさらに有し、前記熱交換器に沿う側板のうち前記分断部以外の部分に、前記ケーシング側板を取り付けるための取付部が設けられていることを特徴とする請求項１〜６の何れか１項に記載の室外機。
【請求項８】
空気調和機の室外機を設置対象箇所に設置するための方法であって、
請求項１〜７の何れか１項に記載の室外機を前記設置対象箇所に設置する設置工程と、
この設置工程の後に、前記ベース部材から分断部を分断する分断工程とを含むことを特徴とする室外機の設置方法。
【発明の詳細な説明】
【技術分野】
【０００１】
本発明は、空気調和機の室外機に関する技術である。
【背景技術】
【０００２】
従来から空気調和機の室外機は、圧縮機、熱交換器及びファン等の構成を収容するケーシングを有し、このケーシングには、前記各構成の下面を支持した状態で所定の設置箇所に設置されるベース部材が含まれる。
【０００３】
具体的に、ベース部材は、図１０に示すように、熱交換器１０２が載置される底板１０１と、この底板１０１の周縁に立設された側板１０３とを備えている（例えば、特許文献１参照）。
【０００４】
底板１０１の上面には、その周縁の一部に沿って熱交換器１０２が固定される。側板１０３は、底板に立設されて当該底板の曲げ方向の強度部材として機能する。そのため、前記底板１０１の周縁に近接して配置された熱交換器１０２の側面のうち下部の範囲は、前記側板１０３によって外側から覆われることになる。
【特許文献１】実公昭５８−３９３４１号公報
【発明の開示】
【発明が解決しようとする課題】
【０００５】
前記特許文献１に係る室外機を積雪量の多い地域で使用した場合には、図１０の（ａ）に示すように、前記熱交換器１０２と側板１０３との間に堆積した雪Ｓが次第に大きくなって、熱交換器１０２の側面を大きな範囲で覆ってしまうことがある。
【０００６】
このような場合、熱交換器１０２による熱交換効率の低減を避けるべくデフロスト運転が行われるが、図１０の（ｂ）に示すように、このデフロスト運転で溶解することができるのは熱交換器により発生する熱の影響が及ぶ近傍の範囲の雪Ｓだけであり、前記側板１０３に付着した雪Ｓを除去するには至らない場合がある。
【０００７】
つまり、熱交換器１０２の下部を覆うように側板１０３が存在していることにより、この側板１０３を芯として雪Ｓが堆積することになり、このように堆積した雪Ｓは、前記デフロスト運転により熱交換器１０２近傍の雪Ｓが溶解した後であっても前記側板１０３に支持されて直立状態を維持し易く、このように残存する雪Ｓにより熱交換器１０２への風量が制限されて熱交換効率が低下するおそれがあった。
【０００８】
本発明は、上記課題に鑑みてなされたものであり、雪の堆積による熱交換効率の低下を抑制することができる室外機及び室外機の設置方法を提供することを目的としている。
【課題を解決するための手段】
【０００９】
上記課題を解決するために、本発明は、熱交換器と、この熱交換器の下面を支持した状態で設置対象箇所に設置されるベース部材とを有する空気調和機の室外機であって、前記ベース部材は、前記熱交換器が載置された底板と、この底板の周縁に立設された側板とを有する一方、前記熱交換器は、前記周縁の少なくとも一部に沿って配置され、前記熱交換器に沿う範囲の前記側板のうち前記底板の周方向の少なくとも一部の範囲を含み、前記ベース部材から分断可能に構成された分断部を有することを特徴とする室外機を提供する。
【００１０】
本発明によれば、底板の周縁部の一部に立設された側板、つまり、熱交換器の側面を外側から覆うように配置される側板の少なくとも一部が、ベース部材から分離可能とされている。そのため、室外機を設置対象箇所に設置する前の段階、例えば、搬送時においては、分断部を分断させずに側板を残してこの側板を底板の曲げ方向の強度部材として機能させることができる。
【００１１】
一方、設置対象箇所への設置が完了した後の段階においては、分断部を分断することにより熱交換器の側面を覆う側板の一部を取り除くことができるので、この室外機が積雪量の多い地域に設置された場合であっても、従来のように側板を芯として雪が堆積するのを抑制することができ、仮に底板の上面に堆積した雪により熱交換器の側面が覆われた場合にはデフロスト運転を行うことにより熱交換器の近傍の雪を溶解させることにより、溶け残った雪は直立姿勢を維持することが困難となり、側方へ倒れる可能性が高くなる。
【００１２】
したがって、本発明によれば、雪の堆積による熱交換効率の低下を抑制することができる。
【００１３】
さらに、本発明では、元々一体とされたベース部材の一部（分断部）を必要に応じて分断するようにしているので、積雪量の多い地域で室外機を使用する際には分断部を分断して上述した熱交換効率低下の抑制を図ることができる一方、積雪量の少ない地域で室外機を使用する際には分断部を分断することなく従前のベース部材と同様に使用することができる。つまり、本発明によれば、積雪量の多少にかかわらず共通のベース部材を使用することができるという効果も得られる。
【００１４】
前記室外機において、前記分断部は、前記側板に加えて前記底板の一部も含むことが好ましい。
【００１５】
このようにすれば、熱交換器の側方で雪が堆積する面積（底板上の面積）を減らして、熱交換効率の低下をさらに効果的に抑制することができる。
【００１６】
前記室外機において、前記分断部は、前記底板の周縁から当該底板に固定された前記熱交換器の下方位置までの範囲の底板を含んでいることが好ましい。
【００１７】
このようにすれば、熱交換器の下に配置される底板の一部を取り除くことができるので、当該熱交換器から流下する水をベース部材の下方へ排出することが可能となる。したがって、本発明によれば、外気温が低下した場合や暖房運転中に、熱交換器から流下した水が当該熱交換器と底板との間で凍結することに応じて熱交換器の下面が氷結するのを防止することができるので、熱交換効率の低下をより効果的に抑制することができる。
【００１８】
前記室外機において、前記分断部は、前記ベース部材に形成された切断線に沿ってベース部材から分断可能とされ、この切断線は、前記ベース部材の他の部分よりも破断強度が弱く設定されていることが好ましい。
【００１９】
この構成によれば、破断強度が弱くされた切断線に沿って、容易に分断部を分断することができる。
【００２０】
前記室外機において、前記ベース部材は、分断された分断部を当該ベース部材の一部として再び組み付けることが可能に構成されていることが好ましい。
【００２１】
この構成によれば、室外機を一旦設置した後、設置位置を変更するために室外機を搬送する場合等に、分断部を組み付けることによりこの分断部に含まれる側板を底板の曲げ方向の強度部材として再び機能させることができる。
【００２２】
前記室外機において、前前記ベース部材は、前記熱交換器から流下した水を前記底板上に蓄えることができるように、ベース部材の一部として分断部を組み付けることが可能に構成されていることが好ましい。
【００２３】
このようにすれば、分断部を再び組み付けた状態において熱交換器から流下した水を底板上に蓄えることができるので、このようにベース部材に流下した水を当該ベース部材から漏出させることなく、前記底板に形成された排出口等を介して所定の排水箇所まで導くことができる。
【００２４】
したがって、この構成によれば、室外機が積雪量の多い地域で使用された後に積雪量の少ない地域で使用することになった場合であっても、再び分断部を組み付けることにより同一のベース部材を用いることが可能となる。
【００２５】
前記室外機において、ケーシング側板をさらに有し、前記熱交換器に沿う側板のうち前記分断部以外の部分に、前記ケーシング側板を取り付けるための取付部が設けられていることが好ましい。
【００２６】
この構成によれば、前記熱交換器に沿う側板のうち分断部以外の部分を、ケーシング側板を取り付けるための取付部として有効に利用することができる。
【００２７】
また、本発明は、空気調和機の室外機を設置対象箇所に設置するための方法であって、前記室外機を前記設置対象箇所に設置する設置工程と、この設置工程の後に、前記ベース部材から分断部を分断する分断工程とを含むことを特徴とする室外機の設置方法を提供する。
【００２８】
本発明によれば、室外機を積雪量の多い地域で使用する場合に、前記分断部をベース部材から分断する前の段階で、ベース部材を設置対象箇所に設置するようにしているので、この設置工程の前段階である室外機の搬送時等に底板の曲げ方向の強度を側板によって確保することができる。
【００２９】
一方、積雪量の多い地域で前記設置工程を行い、その後分断工程を行うことにより、熱交換器の側面を覆う側板の一部を取り除くことができるので、従来のように側板を芯として雪が堆積するのを抑制することができ、仮に底板の上面に堆積した雪により熱交換器の側面が覆われた場合にはデフロスト運転を行うことにより熱交換器の近傍の雪を溶解させることにより、溶け残った雪は直立姿勢を維持することが困難となり、側方へ倒れる可能性が高くなる。
【００３０】
したがって、本発明によれば、雪の堆積による熱交換効率の低下を抑制することができる。
【発明の効果】
【００３１】
本発明によれば、底板の周縁部の一部に立設された側板、つまり、熱交換器の側面を外側から覆うように配置される側板の少なくとも一部が、ベース部材から分離可能とされている。そのため、室外機を設置対象箇所に設置する前の段階、例えば、搬送時においては、分断部を分断させずに側板を残してこの側板を底板の曲げ方向の強度部材として機能させることができる。
【００３２】
一方、設置対象箇所への設置が完了した後の段階においては、分断部を分断することにより熱交換器の側面を覆う側板の一部を取り除くことができるので、この室外機が積雪量の多い地域に設置された場合であっても、従来のように側板を芯として雪が堆積するのを抑制することができ、仮に底板の上面に堆積した雪により熱交換器の側面が覆われた場合にはデフロスト運転を行うことにより熱交換器の近傍の雪を溶解させることにより、溶け残った雪は直立姿勢を維持することが困難となり、側方へ倒れる可能性が高くなる。
【００３３】
したがって、本発明によれば、雪の堆積による熱交換効率の低下を抑制することができる。
【００３４】
さらに、本発明では、元々一体とされたベース部材の一部（分断部）を必要に応じて分断するようにしているので、積雪量の多い地域で室外機を使用する際には分断部を分断して上述した熱交換効率低下の抑制を図ることができる一方、積雪量の少ない地域で室外機を使用する際には分断部を分断することなく従前のベース部材と同様に使用することができる。つまり、本発明によれば、積雪量の多少にかかわらず共通のベース部材を使用することができるという効果も得られる。
【発明を実施するための最良の形態】
【００３５】
以下、本発明の好ましい実施形態について図面を参照して説明する。
【００３６】
図１は、本発明の実施形態に係る室外機の全体構成を示す斜視図である。図２は、図１の室外機の内部構成を示す平面断面図である。
【００３７】
図１及び図２を参照して、室外機１は、略直方体の箱状に形成されたケーシング２と、このケーシング２内に収容された圧縮機３、ファン４及び熱交換器５とを備えている。なお、図２に示す前記ケーシング２の平面断面図における長手方向を左右方向、幅方向を前後方向として以下説明する。
【００３８】
ケーシング２は、前記圧縮機３、ファン４及び熱交換器５の下面を支持した状態で設置対象箇所に設置されるベース部材６と、圧縮機３、ファン４及び熱交換器５の側方及び上方に配置されるケーシング側板７及び天板８とを備えている。
【００３９】
図３は、図２のベース部材６を拡大して示す斜視図である。
【００４０】
図２及び図３を参照して、ベース部材６は、前記圧縮機３、ファン４及び熱交換器５が載置固定された底板９と、この底板９の周縁に立設された側板１０とを一体に備えている。前記底板９には、その前側周縁９ａ及び左側周縁９ｂに沿って平面視Ｌ字型の熱交換器５が配置されている。その結果、側板１０のうち前側及び左側の部分が熱交換器５の側面を外側から覆うように配置されることになる。
【００４１】
そして、前記熱交換器５に沿う範囲の側板１０のうち前記底板９の前側周縁９ａに対応する一部の範囲は、前記ベース部材６から分断可能な分断部１１とされている。
【００４２】
図４は、図３のベース部材６から分断部１１を切り離した状態を示す斜視図である。
【００４３】
図３及び図４を参照して、分断部１１は、前記ベース部材６に形成された切断線に沿って当該ベース部材６から分断することが可能に構成されている。切断線は、ベース部材６を厚み方向に貫くノック穴を形成する、又はベース部材６の厚み寸法を局所的に小さくすること等によって、他の部分よりも破断強度が弱く設定された部分である。本実施形態において、切断線は、側板１０を上下に横断する一対の切断線Ｌ１ａ及び切断線Ｌ１ｂと、側板１０と底板９との境界（稜線）に沿って形成された切断線Ｌ１ｃとを備えている（以下、Ｌ１ａ〜Ｌ１ｃを区別しないときは、切断線Ｌ１と総称する）。本実施形態では、左右方向の範囲Ｅ１内の側板１０をベース部材６から分断することが可能とされている。
【００４４】
一方、前記前側周縁９ａ及び左側周縁９ｂに沿う側板１０のうち前記分断部１１以外の範囲（左前の角部）には、２つのねじ穴１２が設けられている。一方、図１に示すように、前記ケーシング側板７は、側板１０の外側位置に配置されたときに前記ねじ穴１２と重なる位置に設けられた貫通孔１４を有している。この貫通孔１４を通して前記ねじ穴１２にボルトを螺合することによって、ケーシング側板７がベース部材６に取り付けられる。そして、天板８は、ケーシング側板７の上部を閉鎖するように当該ケーシング側板７に取り付けられている。
【００４５】
以下、前記室外機１を設置対象箇所に設置するための方法について説明する。
【００４６】
まず、前記分断部１１がベース部材６から分断されていない状態で、室外機１を設置対象箇所に設置する（設置工程）。ここで、この設置対象箇所の積雪量が多い場合には、前記設置工程の後に、前記ベース部材６から分断部１１を分断する（分断工程）。この分断工程により前記ベース部材６上に雪が堆積した場合であっても、図５に示すように、熱交換器５の熱交換効率が低下するのを抑えることができる。
【００４７】
図５は、図２のV−V線断面図であり、（ａ）は分断工程の後の状態、（ｂ）はベース部材６上に雪が堆積した状態、（ｃ）はデフロスト運転後の状態をそれぞれ示している。
【００４８】
前記分断工程が行なわれると、図５の（ａ）に示すように、熱交換器５に沿う側板１０のうち前記範囲Ｅ１（図４参照）の部分が取り除かれる。この状態で、底板９上に雪Ｓが堆積すると、図５の（ｂ）に示すように、熱交換器５の側面（前面）が大きな範囲で雪Ｓに覆われることになる。このままの状態を放置すると熱交換器５の熱交換効率が低下するため、デフロスト運転が行われることになる。このデフロスト運転では、図５の（ｃ）に示すように、熱交換器５からの熱の影響の及ぶ範囲に存在する雪Ｓが溶解される。そして、本実施形態では、前記分断工程によって側板１０の一部が取り除かれているので、側板を芯として雪Ｓが堆積する従来のベース部材（図１０参照）と異なり、雪Ｓを直立姿勢で支持するものが存在しないため、図５の（ｃ）に示すような状態となると、雪Ｓが矢印Ｙ１に示すように側方（特に前方）へ倒れる可能性が高い。したがって、本実施形態によれば、熱交換器５の側方の雪Ｓを有効に除去することが可能となる。
【００４９】
このような設置方法を採用することにより、室外機１を積雪量の多い地域で使用する場合に、分断部１１を分断する前の状態にあるベース部材６を設置対象箇所に設置するようにしているので、この設置工程及びその前段階である室外機１の搬送時等に底板９の曲げ方向の強度を側板１０によって確保することができる。
【００５０】
一方、積雪量の多い地域で前記設置工程を行い、その後分断工程を行うことにより、熱交換器５の前面を覆う側板１０の一部を取り除くことができるので、従来のように側板１０を芯として雪Ｓが堆積するのを抑制することができ、仮に底板９の上面に堆積した雪Ｓにより熱交換器５の前面が覆われた場合にはデフロスト運転を行うことにより熱交換器５の近傍の雪Ｓを溶解させることにより、溶け残った雪Ｓは直立姿勢を維持することが困難となり、側方（特に前方）へ倒れる可能性が高くなる。
【００５１】
以上説明したように、前記実施形態によれば、底板９の周縁部の一部に立設された側板１０、つまり、熱交換器５の前面を外側から覆うように配置される側板１０の範囲Ｅ１に対応する一部が、ベース部材６から分離可能とされている。そのため、室外機１を設置対象箇所に設置する前の段階、例えば、搬送時においては、分断部１１を分断させずに側板１０を残してこの側板１０を底板９の曲げ方向の強度部材として機能させることができる。
【００５２】
一方、設置対象箇所への設置が完了した後の段階においては、分断部１１を分断することにより熱交換器５の前面を覆う側板１０の一部を取り除くことができるので、この室外機１が積雪量の多い地域に設置された場合であっても、従来のように側板１０を芯として雪Ｓが堆積するのを抑制することができ、仮に底板９の上面に堆積した雪Ｓにより熱交換器５の前面が覆われた場合にはデフロスト運転を行うことにより熱交換器５の近傍の雪Ｓを溶解させることにより、溶け残った雪Ｓは直立姿勢を維持することが困難となり、側方（特に前方）へ倒れる可能性が高くなる。
【００５３】
したがって、前記実施形態によれば、雪Ｓの堆積による熱交換効率の低下を抑制することができる。
【００５４】
さらに、前記実施形態では、元々一体とされたベース部材６の一部（分断部１１）を必要に応じて分断するようにしているので、積雪量の多い地域で室外機１を使用する際には分断部１１を分断して上述した熱交換効率低下の抑制を図ることができる一方、積雪量の少ない地域で室外機１を使用する際には分断部１１を分断することなく従前のベース部材と同様に使用することができる。つまり、前記実施形態によれば、積雪量の多少にかかわらず共通のベース部材６を使用することができるという効果も得られる。
【００５５】
前記実施形態のように、分断部１１がベース部材６に形成された切断線Ｌ１に沿ってベース部材６から分断可能とされている構成によれば、破断強度が弱くされた切断線Ｌ１に沿って、容易に分断部１１を分断することができる。
【００５６】
前記実施形態によれば、前記熱交換器５に沿う側板１０のうち分断部１１以外の左前の部分をケーシング側板７の取付部として有効に利用することができる。
【００５７】
なお、前記実施形態では、側板１０のみをベース部材６から分断する構成について説明したが、分断部に、前記側板１０だけでなく底板９の一部も含ませた構成とすることも可能である。
【００５８】
図６は、本発明の別の実施形態に係るベース部材１５を示す斜視図である。図７は、図６のVII−VII線断面図である。
【００５９】
図６及び図７を参照して、ベース部材１５は、前記範囲Ｅ１における側板１０の一部である側部分断部１６ａと、側板１０から前記範囲Ｅ１に対応する幅寸法で連続する底板９の一部である底部分断部１６ｂとを含むＬ字型の分断部１６を備えている。この分断部１６は、図示を省略するが前記実施形態と同様に切断線を介してベース部材１５から分断することが可能とされている。
【００６０】
前記底部分断部１６ｂは、底板９の前側周縁９ａから熱交換器５の下方位置までの範囲Ｅ２の底板９を含んでいる。そのため、分断部１６をベース部材１５から分断することにより、熱交換器５から流下する水滴をそのままベース部材１５の下方へ排出することができる。特に、本実施形態では、前記範囲Ｅ２が底板９の前側周縁９ａから熱交換器５の厚み寸法の約半分の位置までの範囲に設定されているので、当該熱交換器５の前面から流下する水滴を有効に排出することができる。
【００６１】
さらに、本実施形態のベース部材１５は、前記熱交換器５の前部に配置された分断部１６に加えて、熱交換器５の左側に配置された側板１０の一部を含む第二分断部１７を備えている。
【００６２】
この第二分断部１７は、前後方向の範囲Ｅ３における側板１０の一部である側部分断部１７ａと、側板１０から前記範囲Ｅ３に対応する幅寸法で連続する底板９の一部である底部分断部１７ｂとを含むＬ字型に形成されている。この第二分断部１７は、前記分断部１６と同様に切断線（図示せず）を介してベース部材１５から分断することが可能とされている。
【００６３】
底部分断部１７ｂは、前記底部分断部１６ｂと同様に、底板９の左側周縁９ｂから熱交換器５の下方位置までの範囲の底板９を含んでいる（図示せず）。
【００６４】
前記第二分断部をベース部材１５から分断した場合にも、上述した分断部１６を分断した場合と同様の効果を奏することができる。なお、本実施形態のように前方及び左側に分断部１６及び第二分断部１７を形成する場合においても、これらの分断部１６、１７の間に前記ねじ穴１２が形成された側板１０の一部を残しておくことにより、この部分を前記ケーシング側板７を取り付けるための部分として利用することができる。
【００６５】
前記実施形態のように、分断部１６及び第二分断部１７が側板１０に加えて底板９の一部も含む構成とすれば、熱交換器５の側方（本実施形態では前方及び左方）で雪Ｓが堆積する面積（底板９上の面積）を減らして、熱交換効率の低下をさらに効果的に抑制することができる。
【００６６】
特に、図７に示すように、分断部１６及び第二分断部１７が底板９の周縁９ａ、９ｂから当該底板９に固定された熱交換器５の下方位置までの範囲の底板９を含んだ構成とすることにより、熱交換器５の下に配置される底板９の一部を取り除くことができるので、当該熱交換器５から流下する水をベース部材１５の下方へ排出することが可能となる。したがって、この構成によれば、外気温が低下した場合や暖房運転中に、熱交換器５から流下した水が当該熱交換器５と底板９との間で氷結することに応じて熱交換器５の下面が氷結するのを防止することができるので、熱交換効率の低下をより効果的に抑制することができる。
【００６７】
なお、本実施形態では、分断部１６及び第二分断部１７の双方に底板９を含ませるようにしているが、両分断部１６、１７に必ずしも底板９を含ませる必要はない。例えば、分断部１６、１７の少なくとも一方に底板９を含ませる構成とすること、又は両分断部１６、１７の双方に底板９を含ませない構成とすることも可能である。
【００６８】
また、分断部１６、１７の少なくとも一方に底板９を含ませる場合であっても、この底板９が前記実施形態のように熱交換器５の下方までの範囲Ｅ２にわたり形成されている必要はなく、少なくとも底板９の一部を含んでいればよい。このようにすれば、雪Ｓが堆積することができる底板９上の領域を小さくすることができるので、底板９を含まない場合と比較すると熱交換器５の熱交換効率の低下の抑制効果を大きなものとすることができる。
【００６９】
そして、前記各実施形態では、ベース部材６、１５から切断可能な分断部１１、１６、１７について説明したが、図８及び図９に示すように、ベース部材１８の一部として再び装着可能な分断部１９を構成することもできる。
【００７０】
図８は、本発明の別の実施形態に係るベース部材１８を示す斜視図である。図９の（ａ）は、図８のIXａ−IXａ線断面図、図９の（ｂ）は、図８のIXｂ−IXｂ線断面図である。
【００７１】
図８及び図９を参照して、分断部１９は、ベース部材１８における側板１０の切り欠き範囲Ｅ４よりも大きな長さ寸法Ｅ５を有している。また、分断部１９は、基部２０と、立ち上り部２１とを有するＬ字型の側面断面形状を有する金属板からなる。
【００７２】
基部２０は、図９の（ａ）に示すように、厚み方向に貫通する複数の挿通孔２０ａを有し、この挿通孔２０ａを通したボルトＢ１の上端部を底板９の下面に形成されたねじ穴９ｃに螺合させることにより、当該底板９に固定されるようになっている。
【００７３】
一方、立ち上り部２１は、図９の（ｂ）に示すように、厚み方向に貫通する挿通孔２１ａを左右の縁部に有し、この挿通孔２１ａを通したボルトＢ２の後端部を側板１０に形成されたねじ穴１０ａに螺合させることにより、当該側板１０に固定されるようになっている。
【００７４】
さらに、前記基部２０及び立ち上り部２１の内側面には、前記挿通孔２０ａ、２１ａに対応する部分以外の部分を覆うシール部材２２が設けられている。このシール部材２２は、前記底板９と基部２０との間、及び側板１０と立ち上り部２１との間で挟圧されることにより、当該底板９と基部２０との間、及び側板１０と立ち上り部２１との間の液体の流通を遮断するようになっている。
【００７５】
この実施形態においては、前記ボルトＢ１及びＢ２を緩めて、分断部１９をベース部材１８から分断した後、再びベース部材１８の一部として組み付けることにより、側板１０及び分断部１９の立ち上り部２１によって底板９の周縁が取り囲まれた状態とすることができる。この状態では、前記シール部材２２により分断部１９とベース部材１８との間の液体の流通が遮断されているため、熱交換器５から流下する水を底板９上に蓄えることができる。
【００７６】
前記実施形態のように、ベース部材１８が、分断された分断部１９を当該ベース部材１８の一部として再び組み付け可能に構成されていることにより、室外機１を一旦設置した後、設置位置を変更するために室外機１を搬送する場合等に、分断部１９を組み付けることによりこの分断部１９に含まれる側板１０を底板９の曲げ方向の強度部材として再び機能させることができる。
【００７７】
前記実施形態のように、前記ベース部材１８が、熱交換器５から流下した水を底板９上に蓄えることができるように、ベース部材１８の一部として分断部１９を組み付け可能に構成されていることにより、分断部１９を再び組み付けた状態において熱交換器５から流下した水を底板９上に蓄えることができるので、このようにベース部材１８に流下した水を当該ベース部材１８から漏出させることなく、底板９に形成された排出口等を介して所定の排出箇所まで導くことができる。
【００７８】
したがって、前記構成によれば、室外機１が積雪量の多い地域で使用された後に積雪量の少ない地域で使用することになった場合であっても、再び分断部１９を組み付けることにより同一のベース部材を用いることが可能となる。
【図面の簡単な説明】
【００７９】
【図１】本発明の実施形態に係る室外機の全体構成を示す斜視図である。
【図２】図１の室外機の内部構成を示す平面断面図である。
【図３】図２のベース部材を拡大して示す斜視図である。
【図４】図３のベース部材から分断部を切り離した状態を示す斜視図である。
【図５】図２のV−V線断面図であり、（ａ）は分断工程の後の状態、（ｂ）はベース部材６上に雪が堆積した状態、（ｃ）はデフロスト運転後の状態をそれぞれ示している。
【図６】本発明の別の実施形態に係るベース部材を示す斜視図である。
【図７】図６のVII−VII線断面図である。
【図８】本発明の別の実施形態に係るベース部材１８を示す斜視図である。
【図９】（ａ）は、図８のIXａ−IXａ線断面図、（ｂ）は、図８のIXｂ−IXｂ線断面図をそれぞれ示している。
【図１０】従来の室外機を示す側面断面図であり、（ａ）はベース部材上に雪が積もっている状態、（ｂ）はデフロスト運転を行った後時の状態。
【符号の説明】
【００８０】
Ｌ１    切断線
Ｓ    雪
１    室外機
２    ケーシング
５    熱交換器
６、１５、１８    ベース部材
７    ケーシング側板
９    底板
９ａ    前側周縁
９ｂ    左側周縁
１０    側板
１１、１６、１９    分断部
１２    ねじ穴
１７    第二分断部
２２    シール部材
【図１】
2008196825.tif 000003
【図２】
2008196825.tif 000004
【図３】
2008196825.tif 000005
【図４】
2008196825.tif 000006
【図５】
2008196825.tif 000007
【図６】
2008196825.tif 000008
【図７】
2008196825.tif 000009
【図８】
2008196825.tif 000010
【図９】
2008196825.tif 000011
【図１０】
2008196825.tif 000012